【事件の表示】
　平成　５年特許願第２６５２１７号「表面波フィルタ」拒絶査定不服審判事件〔平成　７年　５月１２日出願公開、特開平　７−１２２９６２〕について、次のとおり審決する。
【結　論】
　本件審判の請求は、成り立たない。
【理　由】
１．手続の経緯、本願発明
　
　本願は、平成５年１０月２２日の出願であって、請求項１に係る発明（以下、「本願発明」という。）は、平成１７年４月１１日付け、及び平成１７年８月２３日付けの手続補正により補正された明細書及び図面の記載からみて、その特許請求の範囲の請求項１に記載された次の事項により特定されるものと認める。
　
【請求項１】  　ＰＺＴ系圧電セラミックよりなる圧電基板と、前記圧電基板上において所定距離を隔てて配置された一対のインターデジタルトランスデューサとを備えるＳＨ波を利用したトランスバーサル型の表面波フィルタにおいて、
　前記一対のインターデジタルトランスデューサ間の表面波伝搬路上に、アース電位に接続される端子電極に電気的に接続されたメタライズ層が設けられているとともに、前記メタライズ層が前記一対のインターデジタルトランスデューサのホット側のくし歯電極に接続されておらず、前記一対のインターデジタルトランスデューサ間の距離をＬ、前記メタライズ層の表面波伝搬方向に沿う長さをＤとしたときに、
　
【数１】
　　　　Ｄ／Ｌ≧０．６５　・ ・ ・（１） 
とされ、かつＤ／Ｌ比が１未満とされていることを特徴とする、表面波フィルタ。
　
２．刊行物の記載
　
　これに対して、当審の拒絶の理由で引用された、本願出願前に頒布された特開平５−４８３７５号公報（平成５年２月２６日出願公開、以下、「刊行物１」という。）には、弾性表面波装置について、次のような記載がある。
　
【０００８】
【作用】本発明によれば、基板の切り出し角度及び弾性表面波の伝搬方向がオイラ角表示で（３９°〜５１°、７０°〜１１０°、−２０°〜２０°）及びそれと等価な方向の範囲内になるように金属膜を形成したので、弾性表面波基板にＳＨ波(horizontal shear waves)型の弾性表面波が発生する。このＳＨ波型の弾性表面波は伝搬速度が速く、伝搬損失が小さく、電気機械結合係数が大きい。また、本発明の角度範囲内ではレイリー波等の発生がなくスプリアスが低い。
　
【００２９】次に、本発明の一実施例による弾性表面波装置を図１７乃至図１９を用いて説明する。本実施例の弾性表面波装置は、図１７に示すように、表面が（１１０）面である四ほう酸リチウム単結晶からなる圧電基板２１上に、電極線幅λ／８のダブルインタディジタル型電極からなる入力櫛形電極２２と出力櫛形電極２３が形成され、これら入力櫛形電極２２と出力櫛形電極２３間の伝搬路領域に金属膜２４が形成されたトランスバーサル型ディレーラインである。入力櫛形電極２２と出力櫛形電極２３は、それぞれ２０対で、周期４０μｍ（電極線幅５μｍ）、開口長２０００μｍであり、弾性表面波の伝搬方向がオイラ角表示で（４５°、９０°、０°）になるような向きに形成されている。電極２２、２３及び金属膜２４は金（Ａｕ）により形成されている。
　
【００３３】また、上記実施例ではディレーラインを例として説明したが、その他の弾性表面波装置でもよい。例えば、圧電基板上にインタディジタル型電極からなる端子電極を一対のグレーティング反射器により挟んで構成した弾性表面波共振子または、所定の重みづけをしたインタディジタル電極からなる弾性表面波フィルタに本発明を適用してもよい。
　
　これらの記載によれば、刊行物１には、次の発明（以下、「刊行物１記載の発明」という。）が記載されているものと認められる。
　
　四ほう酸リチウム単結晶からなる圧電基板２１上に、所定の重みづけをしたインタディジタル電極からなる入力櫛形電極２２と出力櫛形電極２３が形成され、これら入力櫛形電極２２と出力櫛形電極２３間の伝搬路領域に金属膜２４が形成された弾性表面波フィルタにおいて、
　基板の切り出し角度及び弾性表面波の伝搬方向がオイラ角表示で（３９°〜５１°、７０°〜１１０°、−２０°〜２０°）及びそれと等価な方向の範囲内になるように金属膜２４を形成したので、ＳＨ波(horizontal shear waves)型の弾性表面波が発生し、レイリー波等の発生がなくスプリアスが低い弾性表面波フィルタ。
　
　また、当審の拒絶の理由で引用された、本願出願前に頒布された特開昭５１−１１４８４６号公報（昭和５１年１０月８日出願公開、以下、「刊行物２」という。）には、弾性表面波装置について、次のような記載がある。
　
イ）「圧電体基板表面（２）に設けられた金属薄膜（１１）の働きは圧電体基板表面（２）を伝播する弾性表面波に伴って発生する圧電電界を金属薄膜（１１）で短絡し、このため金属薄膜（１１）でおおわれた圧電体表面（２）を伝播する弾性表面波の速度が低下し、結果として金属薄膜（１１）におおわれた部分に弾性表面波が集中して伝播することになる。」（公報２頁左下欄８行〜同欄１４行）
　
ロ）「次にこの発明の第２の実施例を第４図及び第５図に示し、従来の場合と比較して説明する。第４図に於て、第３図と同一符号は同一又は相当部分を示す。（１２）（１３）は電極で、圧電体基板表面（２）に設けられ、それぞれの交さ幅が異なったものである。（１４）は電気機械変換器で、圧電体基板表面（２）に設けられた電極（１２）（１３）で構成されたものである。（１５）はアルミニウム薄膜で、圧電体基板表面（２）に設けられた導体薄膜であり、その厚みが１０００Åでその幅ｄが電気機械変換器（５）の電極（３）（４）の交さ幅Ｄが等しい幅を有したものである。圧電体基板（１）の材料は加圧焼成したジルコン・チタン酸鉛磁器である。」（公報２頁右下欄１２行〜３頁左上欄４行）
　
ハ）「そのエネルギ分布は第５図の曲線（ｂ）のように中央部でエネルギが最大となり、かつなめらかなエネルギ分布となり、弾性表面波装置の伝播特性を大幅に改善することが出来る。このように金属薄膜（１１）を圧電体基板表面（２）に設けることにより、従来の弾性表面波装の場合は１０ｄＢ以上のエネルギ損失があったのに比べ、３ｄＢ以下のエネルギ損失に抑圧することが出来る。」（公報３頁右上欄１０行〜同欄１８行）
　
　また、当審の拒絶の理由で引用された、本願出願前に頒布された特開昭５４−３５６５７号公報（昭和５４年３月１５日出願公開、以下、「刊行物３」という。）には、表面すべり波共振器フィルタについて、次のような記載がある。
　
イ）「圧電体表面に導体被覆を施こすことにより表面に集中伝ぱんするすべり波（表面すべり波）が存在することはBleustein氏…（中略）…Gulyaev氏…（中略）…清水氏…らによって理論的に予測された。すなわち、第５図（５−１は圧電性セラミック、５−２は導体被覆）に示すように、分極軸をｘ１、ｘ２、ｘ３直交座標系のｘ３軸にとったｘ２軸方向に半無限圧電セラミックス（ｘ２＞０）（対称性∞ｍ、６ｍｍの圧電圧結晶と同じ）において、ｘ２方向の変位ｕ２、電位φに関する微分方程式…（中略）…の解の有無を調べた。…（中略）…ｘ２＝０において、Ｔ２２＝Ｔ２３＝Ｔ２１＝０、φ＝０…（中略）…なる境界条件のもとに…（中略）…ｘ１方向に伝ぱんする表面弾性波（表面すべり波）が存在する。」（公報３頁左上欄１４行〜同頁左下欄１２行）
　
ロ）「本明細書においては、共振器基板として、ジルコン・チタン酸鉛系セラミックス、６４°rotated Y-cut　ＬｉＮｂＯ３単結晶を用いた場合について述べた。使用できる基板材料の条件としてはｉ）表面すべり波が励振できること、ｉｉ）基板厚みの少い共振器やフィルタを構成するため表面すべり波の電気・機械結合係数ｋ２ｓが大きいこと、ｉｉｉ）伝ぱん損失αが小さいことなどである。」（公報６頁右下欄４行〜同欄１１行）
　
ハ）「表面すべりモードは圧電性を有する結晶系（対称中心をもたない結晶系）すべてに存在し得るが、一般には、表面すべりモードと他のモード（たとえばレーリモード）とが共存する。上記対称中心をもたない結晶系のうち、点群６ｍｍ…（中略）…の対称性を有する物質では、特定の方位にすだれ状電極を設置することにより、表面すべりモードのみを伝ぱんさせることができる。本明細書で述べたジルコン・チタン酸鉛系セラミックス（６ｍｍの単結晶と取扱いは同じ）は、前述したように、表面すべりモードのみが伝播しうる。」（公報６頁右下欄１５行〜７頁左上欄６行）
　
　また、当審の拒絶の理由で引用された、本願出願前に頒布された特開昭５６−４２４２０号公報（昭和５６年４月２０日出願公開、以下、「刊行物４」という。）には、次のような記載がある。
　
　「すべり波表面波を利用する振動子も考えられている。第３図はかゝるすべり波表面波を利用した圧電振動子の構成図であり、圧電基盤２０上にすだれ状電極２１、２１’がつけられている。…（中略）…第３図では圧電基盤２０の切断方位を適切に選ぶことにより、変位方向（矢印ＡＡ’）が板面及びすだれ状電極２１、２１’の指２１ａ、２１ａ’…２１ｃ、２１ｃ’と平行となるようなすべり波（ＳＨ波）表面波を励振できるようにしている。このような表面波はいわゆるラブ表面波（Love Wave）と呼ばれ、均質で圧電性がない基盤には存在しない。しかし表面にすべり波の音速が基盤の音速より遅い層をつけて２層構造にするとか、あるいは表面膜をつけてその質量効果を利用するとか、あるいは金属膜をつけてその質量効果及び圧電反作用を利用するとかの方法によって表面にエネルギーが集中した表面波を存在させることができる。この際、表面層乃至膜は必らずしも板面全部を覆う必要はなく、波長以下のすき間があっても差支えないので、すだれ状電極などを形成する余地は十分ある。」（公報２頁左下欄８行〜同頁右下欄８行）
　
３．本願発明と刊行物１記載の発明との比較
　
　刊行物１記載の発明の「所定の重みづけをしたインタディジタル電極からなる入力櫛形電極２２と出力櫛形電極２３」、「ＳＨ波(horizontal shear waves)型の弾性表面波が発生し、レイリー波等の発生がなくスプリアスが低い弾性表面波フィルタ」、「金属膜２４」が、それぞれ本願発明の「圧電基板上において所定距離を隔てて配置された一対のインターデジタルトランスデューサ」、「ＳＨ波を利用したトランスバーサル型の表面波フィルタ」、「メタライズ層」に相当している。
　したがって、刊行物１記載の発明と本願発明とは、以下の点で一致ないし、相違する。
　
（１）一致点
　
　圧電基板と、前記圧電基板上において所定距離を隔てて配置された一対のインターデジタルトランスデューサとを備えるＳＨ波を利用したトランスバーサル型の表面波フィルタにおいて、 
 　前記一対のインターデジタルトランスデューサ間の表面波伝搬路上に、メタライズ層が設けられている表面波フィルタである点。 
 　 
（２）相違点
　
相違点１
　圧電基板が、本願発明では、ＰＺＴ系圧電セラミックよりなるのに対し、刊行物１記載の発明では、四ほう酸リチウム単結晶である点。
　
相違点２
 　メタライズ層が、本願発明では、アース電位に接続される端子電極に電気的に接続され、前記一対のインターデジタルトランスデューサのホット側のくし歯電極に接続されておらず、前記一対のインターデジタルトランスデューサ間の距離をＬ、前記メタライズ層の表面波伝搬方向に沿う長さをＤとしたときに、 
【数１】
　　　　Ｄ／Ｌ≧０．６５　・ ・ ・（１） 
とされ、かつＤ／Ｌ比が１未満とされているのに対して、 
　刊行物１記載の発明では、アース電位に接続される端子電極やホット側のくし歯電極との接続が明らかでなく、また、Ｄ／Ｌ比も明らかでない点。 
　
４．相違点の検討
　
（１）相違点１について
　
　刊行物２、３等によりＰＺＴ系圧電セラミックよりなる圧電基板は周知であるから、刊行物１記載の発明の「四ほう酸リチウム単結晶からなる圧電基板」の代わりに、ＰＺＴ系圧電セラミックよりなる圧電基板を用いることは、当業者が適宜なし得る設計事項にすぎない。 
　
（２）相違点２について
　
　刊行物３、４等により、メタライズ層の質量効果及び圧電反作用を利用して、表面にエネルギーが集中した伝搬損失の少ないＳＨ波を存在させることができ、メタライズ層をアース電位に接続してもＳＨ波が表面に集中することは、周知であるから、刊行物１記載の発明のＳＨ波を利用したトランスバーサル型の表面波フィルタにおいて、メタライズ層をアース電位に接続される端子電極に電気的に接続することは、当業者が適宜なし得る設計事項にすぎない。そして、刊行物１記載の発明において、メタライズ層がアース電位に接続される端子電極に電気的に接続されると、トランスバーサル型の表面波フィルタとして動作させるためには、当然、メタライズ層が一対のインターデジタルトランスデューサのホット側のくし歯電極に接続されてはならないことは技術常識である。 
　また、刊行物１記載の発明において、メタライズ層の質量効果及び圧電反作用の大きさは、メタライズ層の伝搬方向に沿う長さであるＤの大きさに応じて連続的に変わるものであることは、当業者にとって自明の事項であるから、本願発明のように実験的に決められた１＞ Ｄ／Ｌ≧０．６５という数値限定も、当業者が適宜なし得る設計事項にすぎない。
　なお、請求人は、平成１７年８月２３日付けの意見書において、「本願発明は、本願発明の図４に示すように、ＰＺＴ系圧電セラミックよりなる圧電基板を用いた場合、Ｄ／Ｌ比が０．５を越えＤ／Ｌ比が０．６５付近に近づくとＳＨ波の圧電基板表面付近への集中が急激に大きくなります。そして、Ｄ／Ｌ比が０．６５以上になると挿入損失改良分が３ｄＢ以上になり、入力電力を１／２にしても出力で挿入損失が改善されない現状のものと同じ電力を得ることができるという特段の効果を有するものであります。」と主張している。
　しかし、請求人の主張する挿入損失改良分は、メタライズ層の質量効果及び圧電反作用をどの程度利用するかに応じて変化するものであって、この程度の挿入損失改良分は格別のものとは認められない。
　
５．むすび
　
　本願発明は、刊行物１記載の発明、上記各周知技術及び技術常識に基づいて当業者が容易に発明をすることができたものと認められるから特許法第２９条第２項の規定によって特許を受けることができない。
　
　よって、結論のとおり審決する。